(57)【特許請求の範囲】
【請求項１】
一対の基板からなり、当該一対の基板のうち一方の基板は他方の基板とは重ならない張り出し部を有する電気光学パネルと、
少なくとも前記電気光学パネルを保持する保持部材と、を有し、
前記保持部材は、前記電気光学パネルの側面に対向する側壁部と、前記側壁部の内側に形成されて前記電気光学パネルの前記一方の基板側における周縁部の少なくとも一部を接することにより支持する段差部とを有し、
前記段差部は、前記電気光学パネルの周縁部のうち、前記張り出し部と重なる領域及び前記張り出し部と重なる領域以外に位置する角部とその近傍が、前記電気光学パネルと接するパネル支持領域よりも低く形成されて前記電気光学パネルと接しないパネル非支持領域を有している電気光学装置。
【請求項２】
前記段差部は、前記パネル非支持領域のうち前記角部とその近傍が、前記電気光学パネルと接する前記パネル支持領域から前記角部の頂点にかけて低くなる傾斜面を有している請求項１記載の電気光学装置。
【請求項３】
前記傾斜面が形成された前記段差部の延在方向において、
前記傾斜面の斜面上端が、前記段差部と平行に延びる前記電気光学パネルのシール材の前記角部側の端部よりも、前記保持部材の前記角部から離れた側に位置し、
前記張り出し部と重なる領域への前記段差部の延在方向において、
前記電気光学パネルと接する前記パネル支持領域の前記張り出し部側の端部が、前記段差部と平行に延びる前記電気光学パネルのシール材の前記角部側の端部よりも、前記保持部材の前記張り出し部側の角部から離れた側に位置する請求項２記載の電気光学装置。
【請求項４】
前記張り出し部と重なる領域にある前記段差部の角部とその近傍に衝撃緩和部材が設けられている請求項１ないし３のいずれか一項に記載の電気光学装置。
【請求項５】
前記保持部材の前記電気光学パネルを支持していない前記パネル非支持領域においては、前記段差部が形成されていない請求項１ないし４のいずれか一項に記載の電気光学装置。
【請求項６】
前記段差部の前記電気光学パネルを支持する前記パネル支持領域が、所定の厚みを有した両面接着部材で構成されている請求項１ないし５のいずれか一項に記載の電気光学装置。
【請求項７】
請求項６記載の電気光学装置を備えた電子機器。
【発明の詳細な説明】
【技術分野】
【０００１】
本発明は、電気光学装置および電子機器に関するものである。
【背景技術】
【０００２】
現在、携帯電話機、携帯情報端末機等といった各種の電子機器において、各種の情報を視覚的に表示するための表示部として液晶装置（電気光学装置）が用いられている。このような液晶装置の一例として、液晶パネル（電気光学パネル）と、バックライトと、液晶パネル及びバックライトを収容するためのフレーム（保持部材）とを備えた構造が知られている。
【０００３】
液晶パネルは、一対の基板と、一方の基板の外周部に沿って一対の基板間に形成されたシール材と、これら一対の基板及びシール材により囲まれた領域に配置された液晶とを有して構成されるものである。液晶パネルを構成する一対の基板のうち一方に設けられた張り出し部上にドライバなどが設けられている。
【特許文献１】特開２００３−２７９９７２号公報
【発明の開示】
【発明が解決しようとする課題】
【０００４】
通常、液晶パネルはバックライトを構成するフレーム内に略全周を貼り付けて保持されていたが、モジュールが落下した際、液晶パネルの角部に応力が集中しやすく、特に一枚ガラスとされた基板の張り出し部にパネル割れが発生しやすかった。
【０００５】
本発明は、上記課題に鑑みてなされたものであり、その目的は、落下時の衝撃によって電気光学パネルが破損することを効果的に防止することを可能とした電気光学装置および電子機器を提供することにある。
【課題を解決するための手段】
【０００６】
本発明の電気光学装置は、上記課題を解決するために、電気光学パネルと、少なくとも前記電気光学パネルを保持する保持部材と、を有し、前記保持部材は、前記電気光学パネルの周縁部の少なくとも一部を支持する段差部を有し、前記段差部は、少なくとも一部の角部とその近傍において、前記電気光学パネルを支持していないことを特徴とする。
【０００７】
このような構成によれば、電気光学パネルを保持する保持部材の段差部が、電気光学パネルの少なくとも一部の角部とその近傍を支持していないため、落下時の衝撃が保持部材から電気光学パネルの角部やその近傍に直接伝わるのを防ぐことができ、電気光学パネルが破損してしまうことを防止することができる。
よって、耐衝撃性に優れた液晶装置を得ることができる。
【０００８】
また、前記保持部材が、前記電気光学パネルの側面に対向する側壁部と、前記側壁部の内側に形成された段差部とからなることも好ましい。
このような構成によれば、落下時におけるパネル破損を防止しつつ電気光学パネルを保持部材において良好に保持することができる。
【０００９】
また、電気光学パネルが一対の基板からなり、当該一対の基板のうち一方の基板は他方の基板とは重ならない張り出し部を有し、前記電気光学パネルは、前記一方の基板側から前記段差部に支持され、前記段差部が、前記張り出し部を支持していないことも好ましい。
このような構成によれば、段差部が電気光学パネルの張り出し部を支持しないので、落下時の衝撃が保持部材を介して上記張り出し部に直接伝わることを防止することができる。一枚基板である張り出し部は、基板同士が重なり合う他の領域に比べて衝撃に弱いが、段差部から離れた状態で保持されるので、保持部材から張り出し部に応力が加わることを避けることができる。
【００１０】
また、段差部は、前記張り出し部と重なる領域以外に位置する前記角部とその近傍において、前記電気光学パネルを支持していないことも好ましい。
このような構成によれば、電気光学パネルの四隅（４つの角部とその近傍）が保持部材によって支持されないため、これらの箇所に保持部材からの応力が集中することを防止して電気光学パネルが破損してしまうことを阻止することができる。
【００１１】
また、段差部は、前記少なくとも一部の角部とその近傍において、前記電気光学パネルと接する領域よりも低く形成されていることも好ましい。
このような構成によれば、段差部における少なくとも一部の角部とその近傍が電気光学パネルには接しない（支持しない）ことになるため、落下時の衝撃が保持部材を介して電気光学パネルに伝わることを防止することができる。また、保持部材の少なくとも一部の角部とその近傍に段差部が形成されていない場合よりも、保持部材の強度が向上する。
【００１２】
また、段差部は、前記少なくとも一部の角部とその近傍において、前記電気光学パネルと接する領域から前記角部の頂点にかけて低くなる傾斜面を有していることも好ましい。
このような構成によれば、電気光学パネルと接する領域から角部にかけて低くなる傾斜面を有することにより、電気光学パネルと接する領域よりも角部の頂部の方が低くなるので、電気光学パネルの角部に対して段差部の角部が最も離れた状態となるので、落下時の衝撃が段差部（保持部材）を介して電気光学パネルの角部に伝わることを防止することができる。
【００１３】
また、前記傾斜面が形成された前記段差部の延在方向において、前記傾斜面の斜面上端が、前記段差部と平行に延びる前記電気光学パネルのシール材の前記角部側の端部よりも、前記保持部材の前記角部から離れた側に位置することも好ましい。
このような構成によれば、落下時の衝撃が、保持部材を介して電気光学パネルのシール材の外側の領域に伝わることを防止することができる。電気光学パネルのシール材の外側の領域は各基板の周縁部であることから相互間には何も介在しておらず、シール材の内側の領域よりも破損しやすい。そこで、本発明は、傾斜面が形成された段差部の延在方向において、傾斜面の斜面上端が、段差部と平行に延びる電気光学パネルのシール材の角部側の端部よりも、保持部材の角部から離れた側に位置するようにした。これにより、電気光学パネルのシール材の外側の領域（すなわち基板の周縁部）に対して落下時の衝撃が保持部材を介して伝わることを確実に防止することができるので、電気光学パネルの破損を阻止することが可能となる。
【００１４】
また、段差部には、前記少なくとも一部の角部とその近傍に衝撃緩和部材が設けられていることも好ましい。
このような構成によれば、段差部における少なくとも一部の角部とその近傍に衝撃緩和部材が設けられているので、例えば、落下時に保持部材が撓んで電気光学パネルに接触するようなことを防止することができる。また、保持部材と電気光学パネルとの間に衝撃緩和部材を介在させておくことで保持部材自体の撓みも抑制することが可能である。
【００１５】
また、保持部材の前記電気光学パネルを支持していない領域においては、前記段差部が形成されていないことも好ましい。
このような構成によれば、落下時の衝撃が保持部材を介して電気光学パネルに伝わることを完全になくすことができる。また、保持部材全体の軽量化を実現でき、且つ放熱性が高まる。
【００１６】
また、段差部の前記電気光学パネルを支持する領域が、両面接着部材で構成されていることも好ましい。
このような構成によれば、段差部における電気光学パネルを支持する領域が両面接着部材で構成されているため、電気光学パネルを保持部材に接着固定できるのと同時に両面接着部材によって落下時の衝撃が緩和される。この両面接着部材によって、落下時の衝撃が保持部材を介して電気光学パネルに直接伝わることがなくなるので電気光学パネルの破損を防止することができる。
【００１７】
本発明の電子機器は、上記のような耐衝撃性に優れた液晶装置を備えていることから、高信頼性を確保した電子機器を得ることができる。
【発明を実施するための最良の形態】
【００１８】
以下、図面を参照しながら本発明の実施の形態について説明する。なお、以下の図面においては、図面を見やすくするため、各構成要素の膜厚や寸法の比率などは適宜異ならせてある。
【００１９】
（液晶装置）
以下に、本発明に係る電気光学装置の一実施形態として液晶装置を例に挙げて説明する。図１は本実施形態における液晶装置の分解斜視図である。図２は、本実施形態における液晶装置の要部を示す断面図であって、図１のＡ−Ａで示す部分の液晶装置の断面図である。図３は、フレームの概略構成を示す平面図であって、図４（ａ）および（ｂ）はフレームの要部を拡大して示す斜視図、図５（ａ）および（ｂ）はフレームの傾斜面を示す斜視図、図６は液晶パネルとフレームの傾斜面との位置関係を示す平面図である。
【００２０】
図１に示すように、液晶装置１（電気光学装置）は、液晶パネル１００（電気光学パネル）と、当該液晶パネル１００に接続された駆動用ＦＰＣ（Flexible Printed Circuit）基板１０と、液晶パネル１００の裏面側に配置されるバックライト２００（照明装置）と、液晶パネル１００及びバックライト２００を収容するフレーム３００（保持部材）とを有する。さらに、本実施形態の液晶装置１は、液晶パネル１００を駆動させる駆動用ＦＰＣ基板１０の他に、バックライト２００の光源とされるＬＥＤ１２を複数備えた光源用ＦＰＣ基板１８を有している。
【００２１】
液晶パネル１００は、図２に示されるように、第１基板３と、第１基板３から張り出した張り出し部２ａを有する第２基板２と、これら第１基板３及び第２基板２を貼り合わせるための基板周縁部に設けられたシール材５２と、第１基板３及び第２基板２とシール材５２とにより形成された空間内に配置された電気光学材料としての液晶層５０と、一対の基板２，３を挟むように設けられた第１偏光板８ａ及び第２偏光板８ｂとを有している。第１基板３及び第２基板２は、透光性を有するガラス、プラスチック等によって形成されている。
【００２２】
第２基板２の第１基板３と対向する面上には、ＩＴＯ（Indium・Tin Oxide）膜からなる複数の画素電極９と、画素電極９を覆うようにポリイミドなどからなる配向膜が形成されている。一方、第１基板３の第２基板２と対向する面上には、ＩＴＯ膜からなる対向電極２１が設けられ、この対向電極２１を覆うようにポリイミドなどからなる配向膜が形成されている。ここで、画素電極９、対向電極２１及びこれらを覆う配向膜は公知の技術で形成されるもので、図２においてはいずれも図示を省略してある。
【００２３】
張り出し部２ａ上には、例えば液晶パネル１００を駆動するために必要となる駆動用ＩＣ２３及び入力用端子（不図示）が接続されている。この入力用端子に外部電源や種々の外部機器が接続されることにより、ＦＰＣ基板１０を介して液晶パネル１００に駆動信号や電力を供給できるようになっている。このＦＰＣ基板１０は、例えば、ポリイミドやポリエステル等からなるフィルムを基材とする可撓性に優れた例えばＦＰＣからなるものである。
【００２４】
図１に示すように、バックライト２００は、液晶パネル１００の第２基板２側に光射出面２１１ａを向けるほぼ矩形の導光板２１０と、液晶装置１として組み立てた時に導光板２１０のＬＥＤ嵌合部２１０ｂに収容される光源としてのＬＥＤ１２を備えた光源用ＦＰＣ基板１８と、液晶パネル１００と導光板２１０との間に導光板２１０から液晶パネル１００に向かって順に配置された矩形状のシート状光学部品としての拡散板２２２と２枚のプリズムシート２２０及び２２１と、導光板２１０の光射出面２１１ａとは反対側の裏面２１１ｂ上に積層配置される矩形状のシート状光学部品としての反射板２２３とを有して構成されている。
【００２５】
光源用ＦＰＣ基板１８には、接着シート２４を介してプリズムシート２２０が貼り合わされている。接着シート２４及びプリズムシート２２０には、光源用ＦＰＣ基板１８の各ＬＥＤ１２に対応する複数の孔２４ａ、２２０ａが設けられており、貼り合せ時にはこれら孔２４ａ，２２０ａ内にＬＥＤ１２をそれぞれ挿入させて裏面側（導光板２１０側）に露出させている。
【００２６】
フレーム３００は、略枠状をなし、具体的に本実施形態では矩形の中央部がくりぬかれた額縁状のもので、例えばポリカーボネートやフッ素樹脂、ＡＢＳ等の樹脂から形成されている。フレーム３００には、導光板２１０の複数の突出部２１０ｅに対応した凹部３００ａが設けられている。この凹部３００ａに突出部２１０ｅが嵌め込まれることにより導光板２１０がフレーム３００に固定されるようになっている。
なお、導光板２１０はフレーム３００の裏側から嵌め込まれる。
【００２７】
本実施形態に係る液晶装置は、フレーム３００に特徴を有している。以下、フレーム３００の構成について図２〜図６を用いて詳細に説明する。
【００２８】
図２および図３に示すように、フレーム３００は、導光板２１０および液晶パネル１００を保持する枠形状の保持部材であって、その中央には、放熱性、軽量化、薄型化の観点から開口３０２が設けられている。この開口３０２は導光板２１０の外形に沿う大きさで形成されたもので、内部に導光板２１０（図１）が嵌合されて収容される。
【００２９】
フレーム３００は、液晶パネル１００の周縁部の少なくとも一部を支持する段差部３６０を有しており、液晶パネル１００の４つの角部とその近傍を支持しない構成になっている。段差部３６０は、液晶パネル１００の角部とその近傍を支持しないだけでなく、隣り合う２つの角部を含む張り出し部２ａの周縁を支持しない構成とされていて、これら以外の箇所を支持することで液晶パネル１００をフレーム３００内に保持できるようになっている。
【００３０】
フレーム３００は、外枠を構成する側壁部３５０と、側壁部３５０の内側に形成された段差部３６０とからなるもので、これら側壁部３５０および段差部３６０が射出成形により一体に形成されている。側壁部３５０の高さＨ（図２）は液晶パネル１００の厚み方向を許容できる寸法となっているため、収容した液晶パネル１００がフレーム３００からはみ出るようなことはない。
【００３１】
側壁部３５０の内側に突出するようにして設けられる段差部３６０は、側壁部３５０の内周面３５ａに対して略垂直をなすとともに側壁部３５０の上面３５ｂとは高さ位置を異ならせた主面３６１を有している。主面３６１は、第１面３６ａ，３６ａ，３６ｆからなるパネル支持領域と、第２面３６ｅ，３６ｃ，３６ｃ、第１傾斜面３６ｂ，３６ｂ、および第２傾斜面３６ｄ，３６ｄ，３６ｇ，３６ｇからなるパネル非支持領域（図３中の模様を付して示す領域）とを有してなり、このパネル非支持領域は、パネル支持領域（液晶パネル１００と接する領域）よりも低い領域とされている。
【００３２】
図３および図４（ａ）に示すように、フレーム３００の長手方向に沿う第１面３６ａ，３６ａはそれぞれ一方の端部側が第１傾斜面３６ｂ，３６ｂを介して、第１面３６ａ，３６ａよりも低い第２面３６ｃ，３６ｃに接続され、第２面３６ｃ，３６ｃがそれぞれの端部をフレーム３００の短手方向に沿う第２面３６ｅの両端部に突き合わせるようにして接続されている。第１傾斜面３６ｂ，３６ｂは、図５（ａ）にも示されるように第１面３６ａ，３６ａからフレーム３００の角部の頂部、すなわち第２面３６ｃ，３６ｃに向かって下り傾斜とされた傾斜面となっており、互いに高さ位置を異ならせた第１面３６ａ，３６ａと第２面３６ｅが第１傾斜面３６ｂ，３６ｂおよび第２面３６ｃ，３６ｃを介して接続されている。このように、液晶パネル１００の張り出し部２ａと平面的に重なるこれら第２面３６ｃ，３６ｃ，３６ｅを低く形成することにより張り出し部２ａを支持しない構成としてある。
【００３３】
一方、第１面３６ａ，３６ａの他方の端部側は、図３および図４（ｂ）に示すように、第２傾斜面３６ｄ，３６ｄにそれぞれ接続されている。また、フレーム３００の短手方向に沿うとともに第２面３６ｅと対向する第１面３６ｆの両端には第２傾斜面３６ｇ，３６ｇがそれぞれ接続されている。そして、これら第２傾斜面３６ｄ，３６ｄと第２傾斜面３６ｇ，３６ｇとが、フレーム３００の角部において互いの端部を突き合わせるようにして接続されている。第２傾斜面３６ｄ，３６ｄは、図５（ｂ）にも示されるように第１面３６ａ，３６ａから角部の頂部に向かって下り傾斜とされた傾斜面となっており、フレーム３００の角部の頂部が最も低く（深く）なるように構成されている。そして、これら第２傾斜面３６ｄ,３６ｄ，３６ｇ，３６ｇが、液晶パネル１００の張り出し部２ａと平面的に重なる領域以外に位置する角部とその近傍を支持しない構成としてある。
【００３４】
フレーム３００の４つの角部における頂部と角部近傍の第２面３６ｃ，３６ｃ、第２面３６ｅは、いずれも同じ高さ（深さ）とされていて、液晶パネル１００の角部およびその近傍からパネル厚さ方向で最も離れて配置されるようになっている。なお、一枚基板となる張り出し部２ａのの角部にそれぞれ対応するフレーム３００の角部を他の角部よりも低めに形成するようにしてもよい。
【００３５】
次に、フレームの傾斜面と液晶パネルとの位置関係について図６を用いて説明する。なお、同図においては、説明し易いように各構成の縮尺を変えて示している。
図６に示すように、第１傾斜面３６ｂは、その斜面上端Ｓ１が、第１傾斜面３６ｂ，３６ｂが形成された段差部３６０Ａの延在方向（Ｘ軸方向；フレーム３００の長手方向）において、段差部３６０Ａと平行に延びる液晶パネル１００のシール材５２の角部側の端部５２ａよりもフレーム３００の角部から離れた側に位置している。
【００３６】
第２傾斜面３６ｄは、その斜面上端Ｓ２が、第２傾斜面３６ｄが形成された段差部３６０Ａの延在方向において、段差部３６０Ａと平行に延びる液晶パネル１００のシール材５２の角部側の端部５２ｂよりもフレーム３００の角部から離れた側に位置している。
【００３７】
第２傾斜面３６ｇは、その斜面上端Ｓ３が、第２傾斜面３６ｇが形成された段差部３６０Ｂの延在方向（Ｙ軸方向；フレーム３００の短手方向）において、段差部３６０Ｂと平行に延びる液晶パネル１００のシール材５２の角部側の端部５２ｃよりもフレーム３００の角部から離れた側に位置している。
【００３８】
また、図５（ａ），（ｂ）にも示したように、第２傾斜面３６ｄ，３６ｇは第１傾斜面３６ｂよりも緩やかな傾斜面とされており、それぞれが対応する角部の頂部にまで達している。第１傾斜面３６ｂ及び第２傾斜面３６ｄ，３６ｇの傾斜角度は適宜設定されるものとし、特に、第１傾斜面３６ｂに限っては、液晶パネル１００の張り出し部２ａの全周を支持しない構成にする必要があることから、第１傾斜面３６ｂの下端から角部の頂部まである程度低い領域を確保できるような角度の傾斜面とすることが好ましい。また、第１面３６ａと第１傾斜面３６ｂとの接続部分を丸みを帯びた形状にしておき液晶パネル１００への応力が緩和されるようにすることが望ましい。
【００３９】
このように、複数の第１傾斜面３６ｂ，３６ｂおよび第２傾斜面３６ｄ，３６ｄ，３６ｇ，３６ｇが存在することによって周方向において高低差のある主面３６１となっている。
【００４０】
本実施形態においては、図２に示すように、第１傾斜面３６ｂ，３６ｂに接続する第２面３６ｃ，３６ｃに、弾性を有した衝撃緩和部材３５５がそれぞれ配置されている。液晶パネル１００の角部近傍に対応する領域に衝撃緩和部材３５５を介在させておくことで、液晶パネル１００とフレーム３００との間の隙間を部分的に埋めることができるので液晶パネル１００を良好に収容することが可能となる。また、第２面３６ｃ，３６ｃ，３６ｅが形成された段差部３６０の板厚は他の領域に比べて薄くなっているため撓みやすいが、液晶パネル１００との間に衝撃緩和部材３５５などを介在させておくことで落下時などにおけるフレーム３００の撓みを抑制できる。
【００４１】
このような構成によれば、液晶パネル１００を保持するフレーム３００の段差部３６０が液晶パネル１００の４つの角部とその近傍（張り出し部２ａ）を直接支持していないため、液晶装置１が落下した際の衝撃がフレーム３００から液晶パネル１００の各角部やその近傍（張り出し部２ａ）に直接伝わるのを防ぐことができる。一枚基板とされた液晶パネル１００の張り出し部２ａは、基板２，３同士が重なり合う他の部分に比べて衝撃に弱い。本実施形態においては、パネル収容状態において液晶パネル１００の張り出し部２ａがフレーム３００から離れた状態になる（接していない）ため、落下時の衝撃がフレーム３００を介して張り出し部２ａに直接伝わることを防止することができる。
このように、落下時に、液晶パネル１００の４つの角部やその近傍（張り出し部２ａ）にフレーム３００からの応力が集中するのを防止することで、液晶パネル１００の破損を防止することができる。
【００４２】
また、第１傾斜面３６ｂ，３６ｂおよび第２傾斜面３６ｄ，３６ｄ，３６ｇ，３６ｇは、各々の延在方向において各斜面上端Ｓ１，Ｓ２，Ｓ３が、液晶パネル１００のシール材５２の角部側の端部５２ａ，５２ｂ，５２ｃよりも、フレーム３００の角部から離れた側に位置している。そのため、液晶パネル１００の角部とその近傍（張り出し部２ａ）以外の領域を確実に支持しつつ、落下時においてはその衝撃がフレーム３００を介して液晶パネル１００のシール材５２の外側の角部とその近傍（張り出し部２ａ）に伝わることを防止することができる。液晶パネル１００のシール材５２の外側の領域は基板２，３同士の周縁部に対応する箇所なので相互間には何も介在しておらず他の領域（シール材５２の内側の領域）よりも破損しやすいが、上記した本実施形態の構成によれば、液晶パネル１００のシール材５２の外側の領域に対して落下時の衝撃がフレーム３００を介して伝わることを確実に防止することができる。これによって、液晶パネル１００の破損を阻止して製品信頼性を確保することが可能である。
【００４３】
また、フレーム３００のパネル非支持領域が薄く形成されているのでフレーム３００を軽量化することができた。
【００４４】
なお、側壁部３５０には、上記した駆動用ＦＰＣ基板１０を保持するための凹部３２０が形成されているが、側壁部３５０にはこれら凹部３２０，３３０以外にも側壁部３５０にフレーム３００の放熱化、軽量化のための凹部をいくつか設けるようにしてもよい。
【００４５】
以上、添付図面を参照しながら本発明に係る好適な実施形態について説明したが、本発明は係る例に限定されないことは言うまでもなく、上記各実施形態を組み合わせても良い。当業者であれば、特許請求の範囲に記載された技術的思想の範疇内において、各種の変更例または修正例に想到し得ることは明らかであり、それらについても当然に本発明の技術的範囲に属するものと了解される。
【００４６】
例えば、図７に示すように、フレーム４００のパネル非支持領域を所定の厚みを有した両面接着部材３５６で構成してもよい。すなわち、フレーム４００の主面３６２はその周方向において高低差のない一様な面とされていて、その一部に配置される両面接着部材３５６によってフレーム４００の内面に液晶パネル１００を保持する段差部３６０が構成されるようになっている。この両面接着部材３５６の上面３５６ａが液晶パネル１００と接することになる。また、両面接着部材３５６の傾斜面３６ｂ’，３６ｇ’がパネル非支持領域におけるパネル支持領域との境界に位置するような構成としてもよい。両面接着部材３５６は弾性を有するため、フレーム４００と液晶パネル１００とを接着するのと同時に落下時の衝撃を緩和することができる。
【００４７】
また、図８に示すように、フレーム５００のパネル非支持領域には段差部（傾斜面）が形成されていなくてもよい。例えば、フレーム３００の周方向において側壁部３５０の内側に複数の段差部３６０ａ，３６０ｂ，３６０ｃ，３６０ｄを部分的に形成し、少なくとも角部とその近傍を開口させることによって、液晶パネル１００の角部とその近傍を全く支持しない構成としてもよい。このような構成によっても、先の実施形態と同様の効果を得ることができ、液晶パネル１００の割れを防止することができる。
【００４８】
また、液晶パネル１００の第２偏光板８ｂを第２基板２の張り出し部２ａ側に延長させて、第２偏光板８ｂで段差部３６０を構成してもよい。
【００４９】
（電子機器）
次に、上述した電気光学装置を備える電子機器の具体例について説明する。
図９（ａ）は携帯電話の一例を示した斜視図である。図９（ａ）において、符号６００は携帯電話本体を示し、符号６０１は上記実施形態の液晶表示装置を備えた液晶表示部を示している。図９（ｂ）はワープロ、パソコンなどの携帯型情報処理装置の一例を示した斜視図である。図９（ｂ）において、符号７００は情報処理装置、７０２はキーボードなどの入力部、７０３は情報処理本体、７０２は上記実施形態の液晶表示装置を備えた液晶表示部を示している。図９（ｃ）は腕時計型電子機器の一例を示した斜視図である。図９（ｃ）において、符号８００は腕時計本体を示し、８０１は上記実施形態の液晶表示装置を備えた液晶表示部を示している。なお、本実施形態の電子機器は液晶表示装置を備えるものとしたが、有機ＥＬ表示装置、ＰＤＰ等、他の電気光学装置を備えても良い。また、電子機器はこれらに限定されず、表示機能を有する各種の電子機器に適用可能である。
例えばこれらの他に、表示機能付きファックス装置、デジタルカメラのファインダ、携帯型ＴＶ、電子手帳、電光掲示盤、宣伝公告用ディスプレイなども含まれる。
【００５０】
本実施形態の電子機器によれば、上述したように耐衝撃性に優れた液晶装置１を表示部として備えているので、信頼性の高いものとなる。
【００５１】
なお、本発明の電子機器としては、携帯電話以外にも、例えば電子ノート、パーソナルコンピュータ、電子ブック、ビューファインダ型、モニタ直視型のビデオテープレコーダ、カーナビゲーション装置、ページャ、電子手帳、電卓、ワードプロセッサ、ワークステーション、テレビ電話、ＰＯＳ端末等などを挙げることができる。
【図面の簡単な説明】
【００５２】
【図１】本発明の実施形態に係る液晶装置の分解斜視図。
【図２】図１のＡ−Ａで示す部分の液晶装置の断面図。
【図３】フレームの概略構成を示す平面図。
【図４】フレームの要部を示す斜視図。
【図５】フレームの角部およびその近傍（傾斜面）における構成を示す斜視図。
【図６】フレームの傾斜面と液晶パネルのシール材との位置関係を示す平面図。
【図７】フレームの他の実施形態。
【図８】フレームの他の実施形態。
【図９】本発明の実施形態に係る電子機器。
【符号の説明】
【００５３】
１…液晶装置、２ａ…張り出し部、１００…液晶パネル（電気光学パネル）、２…第２基板、３…第１基板、５２…シール材、３００…フレーム（保持部材）、３６０…段差部、３５０…側壁部、３６１…主面、３６ｂ，３６ｂ…第１傾斜面、３６ｄ，３６ｄ,３６ｇ，３６ｇ…第２傾斜面、Ｓ１，Ｓ２，Ｓ３…斜面上端、３５５…衝撃緩和部材
【図１】
0004665983.tif 000002
【図２】
0004665983.tif 000003
【図３】
0004665983.tif 000004
【図４】
0004665983.tif 000005
【図５】
0004665983.tif 000006
【図６】
0004665983.tif 000007
【図７】
0004665983.tif 000008
【図８】
0004665983.tif 000009
【図９】
0004665983.tif 000010